【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
薬物送達デバイス（１）用のアセンブリであって、
−遠位端及び近位端を有するハウジング（２）、
−ピストンロッド（１４）、
−薬物（１２）の投与量を設定するためにハウジング（２）に対して及びピストンロッド（１４）に対して近位方向に可動である駆動部材（２１）、
−ピストンロッド（１４）及び駆動部材（２１）のうちの１つに備えられ、それが備えられるピストンロッド（１４）及び駆動部材（２１）のうちの１つに対して半径方向に可動である、少なくとも１つの停止部材（１８）、
−ピストンロッド（１４）及び駆動部材（２１）のうちのもう１つの方に備えられる少なくとも１つの相互作用部材（１９）、
を含んでなり：
ここで、アセンブリの非ロックモードでは、停止部材（１８）は半径方向に付勢され、そして停止部材（１８）及び相互作用部材（１９）は、軸方向の距離だけ互いに軸方向に相隔てて配置され、ここで軸方向の距離は、駆動部材（２１）が近位方向に移動したとき、投与距離だけ減少し、
そして、ここで、投与距離が軸方向の距離に対応したとき、アセンブリはロックモードに切り替わるように構成され、ここで、ロックモードに切り替わるために、停止部材（１８）の半径方向の付勢は、停止部材（１８）と相互作用部材（１９）を機械的協動に少なくとも部分的に持ちこむように減少することを可能とされ、ここで、停止部材（１８）及び相互作用部材（１９）が機械的に協動したとき、停止部材（１８）及び相互作用部材（１９）は、ロックモードにおいて、ピストンロッド（１４）に対して駆動部材（２１）の近位方向への動きが阻止されるようにピストンロッド（１４）及び駆動部材（２１）を軸方向にインタロックするように構成される、上記アセンブリ。
【請求項２】
請求項１に記載のアセンブリであって、
ここで、停止部材（１８）が弾力部材又は弾力的に取り付けられた部材を含み、そして相互作用部材（１９）が少なくとも１つのキャビティを含む、上記アセンブリ。
【請求項３】
請求項１又は２に記載のアセンブリであって、
ここで、少なくとも１つの停止部材（１８）がピストンロッド（１４）上に備えられる場合、その停止部材（１８）は、アセンブリが非ロックモードにあるとき、ハウジング（２）に対して半径方向に外側に付勢され、そしてここで、少なくとも１つの停止部材（１８）が駆動部材（２１）上に備えられる場合、その停止部材（１８）は、アセンブリが非ロックモードにあるとき、ハウジング（２）に対して半径方向に内側に付勢される、上記アセンブリ。
【請求項４】
請求項１〜３のいずれか１項に記載のアセンブリであって、
ここで、アセンブリは投与部材（５）を含み、そして非ロックモードでは、投与部材（５）は、投与量を設定するためにハウジング（２）に対して及びピストンロッド（１４）に対して近位方向に変位可能であり、設定した投与量を修正するためにハウジング（２）に対して及びピストンロッド（１４）に対して遠位方向に変位可能であり、ここで、駆動部材（２１）は、投与量を設定及び修正するために、ハウジング（２）に対して及びピストンロッド（１４）に対して投与部材（５）の変位に従動するように配置される、上記アセンブリ。
【請求項５】
請求項４に記載のアセンブリであって、
ここで、投与部材（５）はハウジング（２）に対して回転可能であり、そしてここで、投与部材（５）及び駆動部材（２１）はクラッチ連結を介して互いに解放可能に連結するように適合され、ここで、投与部材（５）及び駆動部材（２１）がデカップルしたとき、投与部材（５）は投与量を設定又は修正するために駆動部材（２１）に対して回転可能であり、そしてここで、投与部材（５）及び駆動部材（２１）が連結したとき、投与部材（５）の回転運動はハウジング（２）に対して駆動部材（２１）の回転運動に変換される、上記アセンブリ。
【請求項６】
請求項５に記載のアセンブリであって、
投与量を設定又は修正するため、駆動部材（２１）及び投与部材（５）をデカップルした状態に維持して投与部材（５）及び駆動部材（２１）の相対的な回転運動を可能にするように適合及び配置されるスプリング部材（２５）を含んでなる、上記アセンブリ。
【請求項７】
請求項１〜６のいずれか１項に記載のアセンブリであって、
ここで、ピストンロッド（１４）は、少なくとも１つの軸方向に伸びている部分が扁平であるねじ山（１４Ａ）を含み、そして駆動部材（２１）は、駆動部材（２１）の内面に沿って軸方向に備えられた少なくとも１つの扁平な部分を含み、ここで、ピストンロッド（１４）は、扁平な内部分とねじ山（１４Ａ）の扁平な軸方向に伸びている部分の機械的な協動によって、駆動部材（２１）にスプライン係合される、上記アセンブリ。
【請求項８】
請求項１〜７のいずれか１項に記載のアセンブリであって、
ここで、ロックモードでは、アセンブリの投与量設定動作は停止部材（１８）及び相互作用部材（１９）の機械的協動により阻止され、そしてここで、ロックモードでは、アセンブリの投与量修正動作がロックモードにおいて可能にされるように、ピストンロッド（１４）及び駆動部材（２１）は、相互作用部材（１９）及び停止部材（１８）の機械的協動によって解放可能に軸方向にインターロックされる、上記アセンブリ。
【請求項９】
請求項８に記載のアセンブリであって、
ここで、相互作用部材（１９）は、相互作用部材（１９）の近位端セクションに配置される傾斜側面を含み、その傾斜側面は、ロックモードで、設定した投与量を修正するために、ピストンロッド（１４）に対して遠位方向への駆動部材（２１）の動きを可能にするように適合、配置される、上記アセンブリ。
【請求項１０】
請求項８又は９に記載のアセンブリであって、
ここで、ロックモードからスタートして設定した投与量を修正するため駆動部材（２１）がピストンロッド（１４）に対して遠位方向に動かされたとき、アセンブリは、ロックモードから戻って非ロックモードに切り替えられる、上記アセンブリ。
【請求項１１】
請求項１〜７のいずれか１項に記載のアセンブリであって、
ここで、ロックモードにおいて、ピストンロッド（１４）及び駆動部材（２１）は、投与量設定及び投与量修正動作がロックモードで阻止されるように、相互作用部材（１９）及び停止部材（１８）の機械的協動によって恒久的に軸方向にインターロックされる、上記アセンブリ。
【請求項１２】
請求項１〜１１のいずれか１項に記載のアセンブリであって、
投与ボタン（６）を含んでなり、ここで、駆動部材（２１）及び投与ボタン（６）は、一方向回転式連結によって互いに連結するように適合され、一方向回転式連結は、設定した投与量を送達するとき、投与ボタン（６）に対する駆動部材（２１）の回転運動を可能にするように、そして投与ボタン（６）に対する駆動部材（２１）の反対回転方向の回転運動を阻止するように構成される、上記アセンブリ。
【請求項１３】
請求項１２及び請求項５又はそれに従属するいずれか１項に記載のアセンブリであって、
ここで、投与ボタン（６）は、投与部材（５）及び駆動部材（２１）をクラッチ連結によって繋ぐため投与ボタン（６）が投与部材（５）に対して遠位方向に変位するように、設定した投与量を送達するために押されるように構成される、上記アセンブリ。
【請求項１４】
請求項１〜１３のいずれか１項に記載のアセンブリ及びカートリッジ（４）を含んでなる  薬物送達デバイス（１）であって、カートリッジ（４）は薬物（１２）の複数の投与量を保持し、ここで、アセンブリは、カートリッジ（４）内に保持された薬物（１２）の投与可能な量を超える薬物（１２）の投与量の設定を阻止する終点停止機構を備える、上記薬物送達デバイス（１）。
【請求項１５】
薬物送達デバイス（１）用のピストンロッド（１４）であって、ピストンロッド（１４）の近位端セクションに配置された弾力的に取り付けられた部材を含んでなり、その弾力的に取り付けられた部材はピストンロッド（１４）に対して半径方向に可動である、上記ピストンロッド（１４）。